(57)【特許請求の範囲】
【請求項１】
基地局でレファレンス信号を伝送する方法において、
一連のサブフレームのうちチャネル状態情報レファレンス信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含むサブフレームに関するパターン情報を端末機またはリレーに伝送する段階と；
前記パターン情報に相当するサブフレームを通じて前記チャネル状態情報レファレンス信号を前記端末機または前記リレーに伝送する段階と；を含み、
前記パターン情報は、前記チャネル状態情報レファレンス信号を含むサブフレームの伝送周期及びオフセット（ｏｆｆｓｅｔ）に関する情報を含み、
前記伝送周期及び前記オフセットに該当しても、特定のサブフレームでは前記チャネル状態情報レファレンス信号を伝送しないことを特徴とする、レファレンス信号伝送方法。
【請求項２】
前記チャネル状態情報レファレンス信号を含むサブフレームの伝送周期またはオフセットは、他のセルのチャネル状態情報レファレンス信号を含むサブフレームの伝送周期またはオフセットと同一であるか、または異なるように設定されることを特徴とする請求項１に記載のレファレンス信号伝送方法。
【請求項３】
前記パターン情報は、
１つ以上の伝送周期と１つ以上のオフセットを含むことを特徴とする請求項１に記載のレファレンス信号伝送方法。
【請求項４】
前記特定のサブフレームは、ＭＢＭＳサービスのために指定されたＭＢＳＦＮサブフレームまたはバックホールダウンリンク（ｂａｃｋｈａｕｌ  ｄｏｗｎｌｉｎｋ）サブフレームであることを特徴とする請求項１に記載のレファレンス信号伝送方法。
【請求項５】
前記特定のサブフレームに関する位置情報を前記端末機または前記リレーに伝送する段階をさらに含むことを特徴とする請求項１に記載のレファレンス信号伝送方法。
【請求項６】
端末機またはリレーでレファレンス信号を受信する方法において、
一連のサブフレームのうちチャネル状態情報レファレンス信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含むサブフレームに関するパターン情報を基地局から受信する段階と；
前記パターン情報に相当するサブフレームを通じて前記チャネル状態情報レファレンス信号を前記基地局から受信する段階と；を含み、
前記パターン情報は、前記チャネル状態情報レファレンス信号を含むサブフレームの伝送周期及びオフセット（ｏｆｆｓｅｔ）に関する情報を含み、
前記伝送周期及び前記オフセットに該当しても、特定のサブフレームでは前記チャネル状態情報レファレンス信号を受信しないことを特徴とする、レファレンス信号受信方法。
【請求項７】
前記パターン情報は、
１つ以上の伝送周期と１つ以上のオフセットを含むことを特徴とする請求項６に記載のチャネル状態情報レファレンス信号受信方法。
【請求項８】
前記特定のサブフレームに関する位置情報を前記基地局から受信する段階をさらに含むことを特徴とする請求項６に記載のレファレンス信号受信方法。
【請求項９】
基地局でレファレンス信号を伝送する方法において、
一連のサブフレームのうちチャネル状態情報レファレンス信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含むＣＳＩ−ＲＳサブフレームに関する指示情報を端末機またはリレーに伝送する段階と；
前記指示情報に相当するＣＳＩ−ＲＳサブフレームを通じて前記チャネル状態情報レファレンス信号を前記端末機または前記リレーに伝送する段階と；を含み、
前記指示情報は、１）前記ＣＳＩ−ＲＳサブフレームの伝送周期及びオフセット、２）前記ＣＳＩ−ＲＳサブフレームの識別子リスト、３）ｋ個以後のサブフレームで前記チャネル状態情報レファレンス信号が存在するか否かに関する情報、４）前記ＣＳＩ−ＲＳサブフレームを示すビットマップ情報のうち少なくとも１つを含み、
前記指示情報が前記ＣＳＩ−ＲＳサブフレームの伝送周期及びオフセットを含む場合において、特定のサブフレームが前記伝送周期及び前記オフセットに該当しても、前記特定のサブフレームでは前記チャネル状態情報レファレンス信号を伝送しないことを特徴とする、レファレンス信号伝送方法。
【請求項１０】
端末機またはリレーでレファレンス信号を受信する方法において、
一連のサブフレームのうちチャネル状態情報レファレンス信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含むＣＳＩ−ＲＳサブフレームに関する指示情報を基地局から受信する段階と；
前記指示情報に相当するＣＳＩ−ＲＳサブフレームを通じて前記チャネル状態情報レファレンス信号を前記基地局から受信する段階と；を含み、
前記指示情報は、１）前記ＣＳＩ−ＲＳサブフレームの伝送周期及びオフセット、２）前記ＣＳＩ−ＲＳサブフレームの識別子リスト、３）ｋ個以後のサブフレームで前記チャネル状態情報レファレンス信号が存在するか否かに関する情報、４）前記ＣＳＩ−ＲＳサブフレームを示すビットマップ情報のうち少なくとも１つを含み、
前記指示情報が前記ＣＳＩ−ＲＳサブフレームの伝送周期及びオフセットを含む場合において、特定のサブフレームが前記伝送周期及び前記オフセットに該当しても、前記特定のサブフレームでは前記チャネル状態情報レファレンス信号を伝送しないことを特徴とする、レファレンス信号受信方法。
【発明の詳細な説明】
【技術分野】
【０００１】
本発明は、データ送受信のために必要なレファレンス信号（ＲＳ：ｒｅｆｅｒｅｎｃｅ  ｓｉｇｎａｌ）及びレファレンス信号のシグナリングに関する。また、本発明は、リレーを使用する無線通信システムにおいて基地局とリレー間のデータ送受信のためのレファレンス信号及びシグナリングに関する。
【背景技術】
【０００２】
効果的なデータ送受信のためには、適切なレファレンス信号（ＲＳ：Ｒｅｆｅｒｅｎｃｅ  Ｓｉｇｎａｌ）を伝送しなければならない。レファレンス信号は、データを復調するために必要であり、また、基地局と端末機間のチャネル状態を測定し、チャネル状態情報（ＣＳＩ；ｃｈａｎｎｅｌ  ｓｔａｔｅ  ｉｎｆｏｒｍａｔｉｏｎ）を生成するための必要である。端末機は、チャネル状態情報を生成し、基地局に伝送し、基地局は、チャネル状態情報を利用してデータを端末機に伝送する。チャネル状態情報を抽出するために使用されるレファレンス信号を「チャネル状態情報レファレンス信号（ＣＳＩＲＳ）」と呼ぶ。
【０００３】
一般的なＭＩＭＯ（Ｍｕｌｔｉｐｌｅ  Ｉｎｐｕｔ  Ｍｕｌｔｉｐｌｅ  Ｏｕｔｐｕｔ）送受信では、多数のレファレンス信号が必要である。基地局が伝送するレファレンス信号は、互いに直交することが好ましい。基地局は、各基地局に固有なレファレンス信号をカバレージ内のすべての端末機に伝送する。基地局に設けられたアンテナの数が多くなれば、一般的に、所要のレファレンス信号の数も増加するようになる。
【発明の概要】
【発明が解決しようとする課題】
【０００４】
本発明の目的は、リレーを使用するシステムにおいて基地局とリレー間のデータ伝送のためのチャネル状態情報レファレンス信号を伝送する方法を提供することにある。
【課題を解決するための手段】
【０００５】
本発明の一態様によれば、端末機またはリレーにサブフレームを伝送する基地局において、前記サブフレームのうち、チャネル状態情報レファレンス信号を含むサブフレームに関する情報を端末機またはリレーに伝送するチャネル状態情報レファレンス信号パターン情報伝送部と、前記サブフレームに関する情報を参照して前記端末機またはリレーに前記チャネル状態情報レファレンス信号及びデータを伝送する伝送部と、を含む基地局が提供される。
【０００６】
本発明の他の態様によれば、リレーにおいて、基地局からチャネル状態情報レファレンス信号を含むサブフレームに関する情報を受信するチャネル状態情報レファレンス信号パターン情報受信部と、前記サブフレームに関する情報を参照して前記基地局からチャネル状態情報レファレンス信号を受信する受信部と、前記チャネル状態情報レファレンス信号を利用して前記基地局と前記リレー間のチャネル状態情報を抽出するチャネル状態情報抽出部と、前記推定されたチャネル状態情報を基地局にフィードバックするフィードバック部とを含むリレーが提供される。
【０００７】
本発明のさらに他の態様によれば、端末機において、基地局からチャネル状態情報レファレンス信号を含むサブフレームに関する情報を受信するチャネル状態情報レファレンス信号パターン情報受信部と、前記サブフレームに関する情報を参照して前記基地局からチャネル状態情報レファレンス信号を受信する受信部と、前記チャネル状態情報レファレンス信号を利用して前記基地局と前記端末機間のチャネル状態情報を抽出するチャネル状態情報抽出部と、前記推定されたチャネル状態情報を基地局にフィードバックするフィードバック部とを含む端末機が提供される。
【発明の効果】
【０００８】
本発明によればリレーを使用するシステムにおいて基地局とリレー間のデータ伝送のためのチャネル状態情報レファレンス信号を容易に伝送することができる。
【図面の簡単な説明】
【０００９】
【図１】本発明によるレファレンス信号伝送システムを説明するための図である。
【図２】本発明の一実施例によるＭＢＳＦＮサブフレームを示す図である。
【図３】本発明の一実施例によるＭＢＳＦＮサブフレームの構造を示す図である。
【図４】基地局が伝送したデータをリレーが受信する場合に、基地局とリレーのサブフレーム構造をそれぞれ示す図である。
【図５】本発明の他の実施例によってレファレンス信号を含むサブフレームを示す図である。
【図６】レファレンス信号を周波数帯域に配置する本発明の一実施例を示す図である。
【図７】レファレンス信号を周波数帯域に配置する本発明の他の実施例を示す図である。
【図８】レファレンス信号を周波数帯域に配置する本発明のさらに他の実施例を示す図である。
【図９】本発明の一実施例による基地局の構造を示すブロック図である。
【図１０】本発明の一実施例によるリレーの構造を示すブロック図である。
【図１１】本発明の一実施例による端末機の構造を示す図である。
【発明を実施するための形態】
【００１０】
図１は、本発明によるレファレンス信号伝送システムを説明するための図である。
レファレンス信号伝送システムは、基地局１１０、リレー１３０、マクロ端末機１２０及びリレー端末機１４０を含む。マクロ端末機１２０は、基地局１１０に直接接続し、基地局１１０から直接データを受信する。リレー端末機１４０は、リレー１３０に接続し、リレー１３０からデータを受信する。リレー１３０は、基地局１１０からデータを受信し、受信したデータをリレー端末機１４０にフォワーディングする。
【００１１】
レファレンス信号伝送システムにおいては、基地局１１０とマクロ端末機１２０との間のアップ及びダウンリンク、基地局１１０とリレー１３０との間のアップ及びダウンリンク、リレー１３０とリレー端末機１４０との間のアップ及びダウンリンクが存在する。レファレンス信号伝送システムにおいては、限定されたシステム資源を６個のリンクが効果的に分割して使用しなければならない。
【００１２】
図２は、本発明の一実施例によるＭＢＳＦＮサブフレームを示す図である。
リレー１３０は、基地局１１０からの信号を受信するために使用されるサブフレームをＭＢＳＦＮサブフレームであると端末にシグナリングする。  
【００１３】
図２では、フレームは、１０個のサブフレームを含み、リレー１３０は、各フレーム２１０で１番、６番サブフレーム２２０、２３０、２４０、２５０をＭＢＳＦＮサブフレームとして指定することができる。リレー１３０は、ＭＢＳＦＮサブフレーム２２０、２３０、２４０、２５０を利用して基地局１１０からデータを受信し、ＭＢＳＦＮサブフレーム２２０、２３０、２４０、２５０ではない、他のサブフレームを利用してデータをリレー端末機１４０にフォワーディングすることができる。
【００１４】
図３は、本発明の一実施例によるＭＢＳＦＮサブフレームの構造を示す図である。
図３で、横軸は、時間の経過を示し、縦軸は、周波数帯域を示す。基地局からのデータを受信するために、ＭＢＳＦＮとしてシグナリングされたサブフレーム３００は、サブフレームの前方部の一部シンボル３１０を利用してレファレンス信号（ＲＳ）、ＰＣＦＩＣＨ、ＰＤＣＣＨ、ＰＨＩＣＨなどの制御信号を伝送する。リレーは、前記ＭＢＳＦＮサブフレーム３００の残りの区間を利用して基地局からの信号を受信する。
【００１５】
図４は、基地局が伝送したデータをリレーが受信する場合に、基地局とリレーのサブフレーム構造をそれぞれ示す図である。
【００１６】
図４の（ａ）は、基地局１１０がマクロ端末機１２０及びリレー１３０に伝送するダウンリンクサブフレーム４１０の構造を示す図である。
【００１７】
サブフレーム４１０は、制御信号領域４２０及びデータ領域４３０を含む。基地局１１０は、制御信号領域４２０を利用してレファレンス信号（ＲＳ）、ＰＣＦＩＣＨ、ＰＤＣＣＨ、ＰＨＩＣＨを伝送し、データ領域４３０を利用してＰＤＳＣＨを伝送することができる。制御信号領域４２０は、図３に示されたように、サブフレームの前方部の一部シンボルを利用して構成されることができる。
【００１８】
図４の（ｂ）は、リレー１３０がリレー端末機１４０に伝送するダウンリンクサブフレーム４４０の構造を示す図である。リレー１３０は、基地局１１０のサブフレーム４１０に対応するサブフレーム４４０をＭＢＳＦＮサブフレームとしてシグナリングする。基地局からの信号を受信するように設定されたダウンリンクサブフレーム４４０は、制御信号領域４５０及び受信領域４６０を含む。リレー１３０は、リレー１３０からデータを受信するリレー端末機１４０のために制御信号領域４５０を利用してレファレンス信号（ＲＳ）、ＰＣＦＩＣＨ、ＰＤＣＣＨ、ＰＨＩＣＨを伝送することができる。リレー１３０は、受信領域４６０に対応する時間の間に、基地局１１０からデータを受信し、リレー端末機１４０にはデータを伝送しない。
【００１９】
図５は、本発明の他の実施例によってチャネル状態情報レファレンス信号を含むサブフレームを示す図である。
【００２０】
チャネル状態情報チャネル状態情報レファレンス信号は、毎サブフレームに含まれなくてもよい。すなわち、基地局１１０がマクロ端末機１２０またはリレー１３０に伝送するサブフレームのうち選択された一部のサブフレームにのみチャネル状態情報レファレンス信号が含まれることができる。マクロ端末機１２０またはリレー１３０は、チャネル状態情報レファレンス信号を受信し、これを利用して基地局１１０とマクロ端末機１２０またはリレー１３０間のチャネルの状態を推定する。
【００２１】
チャネル状態情報レファレンス信号がすべてのサブフレームに含まれているものではないので、マクロ端末機１２０及びリレー１３０は、どのサブフレームがチャネル状態情報レファレンス信号を含むか否かを把握しなければならない。すなわち、マクロ端末機１２０及びリレー１３０は、チャネル状態情報レファレンス信号の伝送パターンを把握しなければならない。
【００２２】
基地局１１０は、チャネル状態情報レファレンス信号の伝送パターンをマクロ端末機１２０及びリレー１３０にシグナリングし、マクロ端末機１２０及びリレー１３０は、チャネル状態情報レファレンス信号の伝送パターンを参照して基地局１１０からチャネル状態情報レファレンス信号を受信することができる。
【００２３】
一実施例によれば、基地局１１０は、チャネル状態情報レファレンス信号を周期的に伝送することができる。例えば、各基地局ごとにチャネル状態情報レファレンス信号の伝送周期は、同一であることができる。すべての基地局が同一の伝送周期でチャネル状態情報レファレンス信号を伝送しながらも、基地局固有のオフセット（ｃｅｌｌ  ｓｐｅｃｉｆｉｃ  ｏｆｆｓｅｔ）を利用して互いに異なるサブフレームを利用してチャネル状態情報レファレンス信号を伝送することができる。この場合、チャネル状態情報レファレンス信号パターン情報は、チャネル状態情報レファレンス信号の伝送周期及びオフセットを含むことができる。
【００２４】
基地局Ａのオフセットをθaとする。ｎfとしｎsをそれぞれフレームナンバーとサブフレームナンバーとする。サブフレームナンバーは、フレームに含まれた複数のサブフレーム中での手順を示すことができる。基地局Ａは、下記数式１を満足するサブフレームだけでチャネル状態情報レファレンス信号を伝送することができる。Ｎは、１フレームに含まれたサブフレームの個数であり、Δは、チャネル状態情報レファレンス信号の伝送周期である。
【００２５】
【数１】
0005487294.tif 000002
【００２６】
一実施例によれば、すべての基地局は、同一のオフセットθを有することもできるが、互いに異なるオフセットθを有することもできる。また、オフセットθの値とチャネル状態情報レファレンス信号の伝送周期Δは、時間によって変更されることができる。基地局は、オフセットθの値をマクロ端末機１２０及びリレー１３０に伝送し、マクロ端末機１２０及びリレー１３０は、オフセットθ値及びチャネル状態情報レファレンス信号の伝送周期Δの値を参照してチャネル状態情報レファレンス信号を受信することができる。
【００２７】
図５の（ａ）は、オフセットθの値が‘０’であり、チャネル状態情報レファレンス信号の伝送周期Δの値が‘５’の場合に、各サブフレームを利用してチャネル状態情報レファレンス信号が伝送されることを示す図である。ハッチングを掛けたサブフレーム５１１、５１２、５１３、５１４、５１５は、チャネル状態情報レファレンス信号を含む。
【００２８】
本発明の他の実施例によれば、基地局１１０は、１つ以上の等間隔のサブフレームの集合を使用してチャネル状態情報レファレンス信号を伝送することができる。すなわち、周期がΔであり、オフセットがθである等間隔のサブフレームの集合をs(Δ,θ)であるとする時、基地局１１０は、下記数式２の和集合Ｕに属するサブフレームを利用してチャネル状態情報レファレンス信号を伝送することができる。この場合、基地局１１０は、チャネル状態情報レファレンス信号パターン情報に１つ以上のオフセットを含んで端末機１２０またはリレー１３０に通知する。すなわちチャネル状態情報レファレンス信号パターン情報が(θ1,θ2,θ3,...,θN)を含む。
【００２９】
【数２】
0005487294.tif 000003
【００３０】
オフセットベクトル(θ1,θ2,θ3,...,θN)がある場合に、基地局１１０は、数式２の集合に属するサブフレームにチャネル状態情報レファレンス信号を伝送する。
【００３１】
図５の（ｂ）は、オフセットベクタ{θ1＝０,θ2＝２}が与えられた場合に、チャネル状態情報レファレンス信号が伝送されることを示すものである。図５の（ｂ）で、オフセットベクトルの各元素に対応する伝送周期は、‘５’である。ハッチングを掛けたサブフレーム５２１、５２２、５２３、５２４、５２５、５２６、５２７、５２８、５２９は、チャネル状態情報レファレンス信号を含む。
【００３２】
本発明のさらに他の実施例によれば、オフセットベクトルの各元素に対応する伝送周期の値は、互いに異なることができる。すなわち、基地局１１０は、周期ベクトル(Δ1,Δ2,Δ3,...,ΔN)とオフセットベクトル(θ1,θ2,θ3,...,θN)に対して下記数式３の和集合Ｕに属するサブフレームにチャネル状態情報レファレンス信号を伝送することができる。この場合、基地局１１０は、１つ以上の周期と１つ以上のオフセットを含むチャネル状態情報レファレンス信号パターン情報を生成し、端末機１２０またはリレー１３０にシグナリングする。
【００３３】
【数３】
0005487294.tif 000004
【００３４】
図５の（ｃ）は、周期ベクトルが｛５、４｝であり、オフセットベクトル{θ1＝０,θ2＝３}である場合に、チャネル状態情報レファレンス信号が伝送されることを示すものである。ハッチングを掛けたサブフレーム５３１、５３２、５３３、５３４、５３５、５３６、５３７、５３８、５３９は、チャネル状態情報レファレンス信号を含む。
【００３５】
一実施例によれば、周期ベクトルの値またはオフセットベクトルの値が複数の基地局に対して同一に決定されることもでき、異なるように決定されることもできる。
【００３６】
一実施例によれば、基地局１１０は、放送チャネル（ＣＣＨ：Ｃｏｎｔｒｏｌ  Ｃｈａｎｎｅｌ）を利用してチャネル状態情報レファレンス信号の伝送周期Δの値またはオフセットθの値をマクロ端末機１２０またはリレー１３０にシグナリングすることができる。
【００３７】
一実施例によれば、基地局１１０は、前記パラメーターを周期的にマクロ端末機１２０またはリレー１３０に伝送することもでき、前記パラメーターの値が変更される時にのみ、マクロ端末機１２０またはリレー１３０に伝送することができる。
【００３８】
一実施例によれば、チャネル状態情報レファレンス信号を周期的に伝送する場合に、或る特定のサブフレームでは、例外的にチャネル状態情報レファレンス信号を伝送しないように設定することができる。このような場合の例として、サブフレームが下記の条件に該当する場合に、特定サブフレームがチャネル状態情報レファレンス信号を伝送する周期に対応するにもかかわらず、チャネル状態情報レファレンス信号を伝送しなくてもよい。
１）ＭＢＭＳサービスのために指定されたＭＢＳＦＮサブフレーム
２）データ受信用バックホールリンク（ｂａｃｋｈａｕｌ  ｌｉｎｋ）に使用されるダウンリンクサブフレーム
【００３９】
一実施例によれば、周期に関係なく、チャネル状態情報レファレンス信号を伝送しないように設定されたサブフレームの位置情報などを端末機１２０またはリレー１３０に通知する。
【００４０】
一実施例によれば、基地局１１０は、ＭＢＭＳサービスのために指定されたＭＢＳＦＮサブフレームを端末機またはリレーに通知する。
【００４１】
一実施例によれば、基地局１１０は、データ受信用バックホールリンク（ｂａｃｋｈａｕｌ  ｌｉｎｋ）に使用されるダウンリンクサブフレームを端末機１２０またはリレー１３０に通知する。
【００４２】
チャネル状態情報レファレンス信号は、基地局１１０とリレー１３０との間のデータ送受信のために利用されることができる。リレー１３０は、基地局１１０が伝送するサブフレームのうち、基地局１１０とリレー１３０との間のリンクのために割り当てられた特定サブフレームのみを受信することができる。したがって、チャネル状態情報レファレンス信号が基地局１１０とリレー１３０との間のリンクのために割り当てられたサブフレームに存在しなければ、リレー１３０は、チャネル状態情報レファレンス信号を受信することができない。したがって、基地局１１０は、チャネル状態情報レファレンス信号を伝送するサブフレームを決定するにあたって制約条件を有する。
【００４３】
一実施例によれば、基地局１１０は、チャネル状態情報レファレンス信号を伝送するサブフレームを周期的に割り当てなくてもよい。この場合に、チャネル状態情報レファレンス信号を伝送するサブフレームを決定し、決定されたサブフレームの位置をビットマップ（ｂｉｔｍａｐ）情報を利用してマクロ端末機１２０またはリレー１３０に伝送することができる。すなわち基地局１１０は、チャネル状態情報レファレンス信号を含むサブフレームに関する情報をビットマップで表現し、端末機１２０またはリレーに通知する。ビットマップ情報は、各サブフレームがチャネル状態情報レファレンス信号を含むか否かを示すことができる。例えば、ビットマップ情報の値が‘１’なら、ビットマップ情報に対応するサブフレームは、チャネル状態情報レファレンス信号を含み、ビットマップ情報の値が‘０’なら、ビットマップ情報に対応するサブフレームは、チャネル状態情報レファレンス信号を含まなくてもよい。この場合、チャネル状態情報レファレンスパターン情報は、チャネル状態情報レファレンス信号の伝送可否を示すビットマップ情報を含むことができる。
【００４４】
他の実施例によれば、基地局１１０は、チャネル状態情報レファレンス信号を伝送するサブフレームの識別子リストをマクロ端末機１２０またはリレー１３０に伝送することができる。
【００４５】
さらに他の実施例によれば、基地局１１０は、ｎ＋ｋ番目サブフレームがチャネル状態情報レファレンス信号を含むか否かをｎ番目サブフレームを利用してマクロ端末機１２０またはリレー１３０に伝送することができる。ここで、ｋの値は、０より大きいか、または同一であり、各基地局によって異なるように設定することもできる。
【００４６】
例えば、基地局１１０は、ｎ番目サブフレームのＰＣＦＩＣＨチャネルを利用してｎ＋ｋ番目サブフレームがチャネル状態情報レファレンス信号を含むか否かをマクロ端末機１２０に伝送することができる。
【００４７】
リレー１３０は、ＰＣＦＩＣＨチャネルを受信することができないので、基地局１１０は、リレーのための別個のチャネルを利用してｎ＋ｋ番目サブフレームがチャネル状態情報レファレンス信号を含むか否かをリレー１３０に伝送することができる。一実施例によれば、この別個のチャネルは、ＰＤＣＣＨ伝送及びトランジションギャップ（Ｔｒａｎｓｉｔｉｏｎ  Ｇａｐ）のために使用されるシンボル以後に位置することができる。
【００４８】
さらに他の実施例によれば、基地局１１０は、ｎ番目サブフレームにｋの値を含んに伝送することができる。すなわち、基地局１１０は、ｎ＋ｋ番目サブフレームにチャネル状態情報レファレンス信号を伝送するということを端末機１２０またはリレー１３０に通知する。
【００４９】
リレー１３０は、基地局１１０が伝送するサブフレームのうち一部のサブフレームだけを受信することができるので、基地局１１０がマクロ端末機１２０に伝送するチャネル状態情報レファレンス信号のパターン情報を受信することができない。基地局１１０は、チャネル状態情報レファレンス信号のパターン情報をリレーのための別途のチャネルを利用してリレー１３０に伝送することができる。この別途のチャネルは、リレーのための制御チャネルまたはリレーのためのダウンリンク共有チャネル（ｄｏｗｎｌｉｎｋ  ｓｈａｒｅｄ  ｃｈａｎｎｅｌ）になることができる。
【００５０】
基地局１１０は、一部のサブフレームだけでチャネル状態情報レファレンス信号を伝送する。また、リレー１３０は、一部のサブフレームだけでチャネル状態情報レファレンス信号を推定することができる。したがって、基地局がチャネル状態情報レファレンス信号を送信するサブフレームと、リレー１３０が基地局１１０信号を受信するサブフレームが一致する場合にのみ、リレー１３０は、チャネル状態情報レファレンス信号を受信することができる。もし一致しなければ、リレー１３０は、チャネル状態情報レファレンス信号を受信することができない。
【００５１】
図６は、チャネル状態情報レファレンス信号を周波数帯域に配置する本発明の一実施例を示す図である。基地局１１０は、基地局１１０とリレー１３０との間のリンクに割り当てられたサブフレームにチャネル状態情報レファレンス信号を伝送する。このチャネル状態情報レファレンス信号は、基地局１１０とリレー１３０との間のリンクに割り当てられたすべてのサブフレームに存在することもでき、一部のサブフレームにのみ存在することもできる。
【００５２】
図６は、チャネル状態情報レファレンス信号６６１、６６２、６６３、６６４、６６５、６６６、６６７がサブフレーム６１０のうちすべての周波数帯域６３０、６４０、６５０に存在する実施例を示すものである。
【００５３】
図７は、チャネル状態情報レファレンス信号を周波数帯域に配置する本発明の他の実施例を示す図である。図７に示された実施例では、チャネル状態情報レファレンス信号７５１、７５２、７５３がリレーに割り当てられた周波数帯域７４０にのみ存在し、他の周波数帯域７２０、７３０には存在しない。
【００５４】
一実施例によれば、基地局１１０は、複数のリレーにチャネル状態情報レファレンス信号を伝送することができる。この場合、それぞれのリレーに対して個別的に周波数帯域が割り当てられることができる。基地局１１０は、リレーにデータを伝送するために、個別的に割り当てられたすべての周波数帯域の和集合にチャネル状態情報レファレンス信号を割り当てることができる。
【００５５】
他の実施例によれば、基地局１１０は、リレーにデータを伝送するために個別的に割り当てられたすべての周波数帯域の和集合だけでなく、マクロ端末機にデータを伝送するために割り当てられた周波数帯域でチャネル状態情報レファレンス信号を割り当てることができる。
【００５６】
図８は、チャネル状態情報レファレンス信号を周波数帯域に配置する本発明のさらに他の実施例を示す図である。図８に示された実施例では、基地局１１０は、ダウンリンク資源の一部の周波数帯域にのみチャネル状態情報レファレンス信号を割り当てることができる。この場合、チャネル状態情報レファレンス信号を伝送するすべてのサブフレームで同一の周波数帯域を使用するものではなく、互いに異なる周波数帯域を使用することもできる。この場合、基地局１１０は、或る周波数帯域にチャネル状態情報レファレンス信号が位置するかをリレー１３０に伝送することができる。
【００５７】
図９は、本発明の一実施例による基地局の構造を示すブロック図である。
基地局９００は、チャネル状態情報レファレンス信号パターン情報伝送部９１０及び伝送部９２０を含む。
【００５８】
チャネル状態情報レファレンス信号パターン情報伝送部９１０は、伝送部９２０が伝送するサブフレームのうちチャネル状態情報レファレンス信号を含むサブフレームに関する情報をマクロ端末機９３０またはリレー９４０に伝送する。マクロ端末機９３０は、基地局９００に接続し、基地局９００からデータを直接受信する端末機である。
【００５９】
一実施例によれば、マクロ端末機９３０は、チャネル状態情報レファレンス信号を利用して基地局９００とマクロ端末機９３０との間のチャネル状態情報を抽出し、抽出したチャネル状態情報を基地局９００にフィードバックする。
【００６０】
一実施例によれば、チャネル状態情報レファレンス信号パターン情報は、チャネル状態情報レファレンス信号を含むサブフレームの識別子リスト、チャネル状態情報レファレンス信号を含むサブフレームの伝送周期及びオフセット、チャネル状態情報レファレンス信号を含むサブフレームに対するビットマップ、ｋ個以後のサブフレームにチャネル状態情報レファレンス信号の存在有無を通知する情報のうち少なくとも１つ以上を含むことができる。
【００６１】
一実施例によれば、チャネル状態情報レファレンス信号パターン情報は、周期に関係なく、チャネル状態情報レファレンス信号を伝送しないように設定されたサブフレームの位置情報などを含むことができる。
【００６２】
一実施例によれば、チャネル状態情報レファレンス信号パターン情報は、ＭＢＭＳサービスのために設定されたＭＢＳＦＮサブフレームの位置情報などを含むことができる。
【００６３】
一実施例によれば、チャネル状態情報レファレンス信号パターン情報は、データ受信用バックホールリンクのために設定されたダウンリンクサブフレームの位置情報などを含むことができる。
【００６４】
一実施例によれば、チャネル状態情報レファレンス信号パターン情報またはチャネル状態情報レファレンス信号を含むサブフレームに関する情報は、複数の基地局に対して同一に決定されることもでき、異なるように決定されることもできる。
【００６５】
一実施例によれば、チャネル状態情報レファレンス信号パターン情報伝送部９１０は、制御チャネルを利用してチャネル状態情報レファレンス信号を含むサブフレームに関する情報をマクロ端末機９３０に伝送することができる。
【００６６】
一実施例によれば、チャネル状態情報レファレンス信号パターン情報伝送部９１０は、チャネル状態情報レファレンス信号を含むサブフレームに関する情報をリレー９４０に伝送することができる。
【００６７】
伝送部９２０は、サブフレームに関する情報を参照してマクロ端末機９３０またはリレー９４０にチャネル状態情報レファレンス信号及びデータを伝送する。伝送部９２０は、ＭＢＭＳサービスのために設定されたＭＢＳＦＮサブフレームでは、チャネル状態情報レファレンス信号を伝送しなくてもよい。
【００６８】
伝送部９２０は、データ受信用バックホールリンクに使用されるダウンリンクサブフレームでは、チャネル状態情報レファレンス信号を伝送しなくてもよい。
【００６９】
リレー９４０は、チャネル状態情報レファレンス信号を利用して基地局９００とのチャネル状態情報を抽出する。
【００７０】
図１０は、本発明の一実施例によるリレーの構造を示すブロック図である。
リレー１０００は、チャネル状態情報レファレンス信号パターン情報受信部１０１０、受信部１０２０、チャネル状態情報抽出部１０３０及びフィードバック部１０４０を含む。
【００７１】
基地局１０５０は、データを含むサブフレームをリレー１０００に伝送する。基地局１０５０が伝送するサブフレームのうち一部のサブフレームは、チャネル状態情報レファレンス信号を含む。
【００７２】
チャネル状態情報レファレンス信号パターン情報受信部１０１０は、基地局１０５０からチャネル状態情報レファレンス信号を含むサブフレームに関する情報を受信する。
【００７３】
一実施例によれば、チャネル状態情報レファレンス信号パターン情報は、チャネル状態情報レファレンス信号を含むサブフレームの識別子リスト、チャネル状態情報レファレンス信号を含むサブフレームの伝送周期及びオフセット、チャネル状態情報レファレンス信号を含むサブフレームに対するビットマップ、ｋ個以後のサブフレームにチャネル状態情報レファレンス信号の存在有無を通知する情報のうち少なくとも１つ以上を含むことができる。
【００７４】
一実施例によれば、チャネル状態情報レファレンス信号パターン情報は、周期に関係なく、チャネル状態情報レファレンス信号を伝送しないように設定されたサブフレームの位置情報などを含むことができる。
【００７５】
一実施例によれば、チャネル状態情報レファレンス信号パターン情報は、ＭＢＭＳサービスのために設定されたＭＢＳＦＮサブフレームの位置情報などを含むことができる。
【００７６】
一実施例によれば、チャネル状態情報レファレンス信号パターン情報は、データ受信用バックホールリンクのために設定されたダウンリンクサブフレームの位置情報などを含むことができる。
【００７７】
受信部１０２０は、サブフレームに関する情報を参照して基地局１０５０からチャネル状態情報レファレンス信号を受信する。
【００７８】
チャネル状態情報抽出部１０３０は、チャネル状態情報レファレンス信号を利用して基地局１０５０とリレー１０００との間のチャネル状態情報を生成する。
【００７９】
フィードバック部１０４０は、抽出したチャネル状態情報を基地局１０５０にフィードバックすることができる。
【００８０】
また、基地局１０５０は、基地局１０５０に接続されたマクロ端末機１０６０にデータを直接伝送することができる。
【００８１】
図１１は、本発明の一実施例による端末機の構造を示す図である。
端末機１１００は、チャネル状態情報レファレンス信号パターン情報受信部１１１０、受信部１１２０、チャネル状態情報抽出部１１３０及びフィードバック部１１４０を含む。
【００８２】
チャネル状態情報レファレンス信号パターン情報受信部１１１０は、基地局１１５０からチャネル状態情報レファレンス信号を含むサブフレームに関する情報を受信する。
【００８３】
一実施例によれば、チャネル状態情報レファレンス信号パターン情報は、チャネル状態情報レファレンス信号を含むサブフレームの識別子リスト、チャネル状態情報レファレンス信号を含むサブフレームの伝送周期及びオフセット、チャネル状態情報レファレンス信号を含むサブフレームに対するビットマップ、ｋ個以後のサブフレームにチャネル状態情報レファレンス信号の存在有無を通知する情報のうち少なくとも１つ以上を含むことができる。
【００８４】
一実施例によれば、チャネル状態情報レファレンス信号パターン情報は、周期に関係なく、チャネル状態情報レファレンス信号を伝送しないように設定されたサブフレームの位置情報などを含むことができる。
【００８５】
一実施例によれば、チャネル状態情報レファレンス信号パターン情報は、ＭＢＭＳサービスのために設定されたＭＢＳＦＮサブフレームの位置情報などを含むことができる。
【００８６】
一実施例によれば、チャネル状態情報レファレンス信号パターン情報は、データ受信用バックホールリンクのために設定されたダウンリンクサブフレームの位置情報などを含むことができる。
【００８７】
一実施例によれば、チャネル状態情報レファレンス信号パターン情報受信部１１１０は、制御チャネルＣＣＨを利用してサブプレに関する情報を受信することができる。
【００８８】
受信部１１２０は、サブフレームに関する情報を参照して基地局１１５０からチャネル状態情報レファレンス信号を受信する。
【００８９】
チャネル状態情報抽出部１１３０は、チャネル状態情報レファレンス信号を利用して基地局１１５０と端末機１１００との間のチャネル状態情報を抽出する。
【００９０】
フィードバック部１１４０は、抽出したチャネル状態情報を基地局１１５０にフィードバックすることができる。
【００９１】
また、基地局１１５０は、基地局１１５０に接続されたリレー１１６０にデータを直接伝送することができる。リレー１１６０は、基地局１１５０から受信したデータをリレー１１６０に接続されたリレー端末機１１７０にフォワーディングすることができる。
【図１】
0005487294.tif 000005
【図２】
0005487294.tif 000006
【図３】
0005487294.tif 000007
【図４（ａ）】
0005487294.tif 000008
【図４（ｂ）】
0005487294.tif 000009
【図５（ａ）】
0005487294.tif 000010
【図５（ｂ）】
0005487294.tif 000011
【図５（ｃ）】
0005487294.tif 000012
【図６】
0005487294.tif 000013
【図７】
0005487294.tif 000014
【図８】
0005487294.tif 000015
【図９】
0005487294.tif 000016
【図１０】
0005487294.tif 000017
【図１１】
0005487294.tif 000018